(57)【要約】 【課題】  安定的に第一趾を保持して外反母趾を十分に矯正することのできる外反母趾矯正用サポータを提供すること。【解決手段】  足前部に装着される伸縮性を有する材料からなる筒状本体２と、この筒状本体２の前端縁３に接続され、伸縮性を有する材料からなり、挿入された足の第一趾を抱持する先細で平面三角形状の第一趾保持体４とを有し、前記第一趾保持体４には、前記第一趾をねじる力が付与されるように前記筒状本体に接続されているもの。【選択図】  図１
0003203423.tif 000002
【実用新案登録請求の範囲】
【請求項１】
足前部に装着される伸縮性を有する材料からなる筒状本体と、この筒状本体の前端縁に接続され、伸縮性を有する材料からなり、挿入された足の第一趾を抱持する先細で平面三角形状の第一趾保持体とを有し、前記第一趾保持体には、前記第一趾をねじる力が付与されるように前記筒状本体に接続されていることを特徴とする外反母趾矯正用サポータ。
【請求項２】
前記第一趾保持体は、前記第二趾側に面する前記第一趾が浮き上がる方向のねじり力を前記第一趾に付与するように形成されている請求項１に記載の外反母趾矯正用サポータ。
【考案の詳細な説明】
【技術分野】
【０００１】
本考案は、足の親指（第一趾：母趾）が小指の方に曲がっていく外反母趾を矯正するのに好適な外反母趾矯正用サポータに関する。
【背景技術】
【０００２】
従来から外反母趾は女性に多く発症するが、症状の進行に伴って痛みが生じることがあり、歩行に差し支えることもある。
【０００３】
このため、従来から外反母趾を矯正するサポータが知られている。
【０００４】
そのうちのひとつとして、平成２２年１２月１０日に特許庁意匠課に受け入れられた足用サポータ（特許文献１参照）がある。
【０００５】
この特許文献１に記載されている外反母趾矯正用サポータは、全体を伸縮する材料で形成されており、足の爪先部を挿入する筒状本体の先端縁側の一部に、第一趾を保持する袋状の第一趾保持体を有している。
【先行技術文献】
【特許文献】
【０００６】
【特許文献１】公知資料番号ＨＪ２２０５７７７０００
【考案の概要】
【考案が解決しようとする課題】
【０００７】
しかしながら、この特許文献１に記載の外反母趾矯正用サポータは、平面視においてほぼ三角形状の第一趾保持体の隅部が筒状本体の先端縁に取り付けられており、第一趾保持体の筒状本体に対する可動領域が大きく、安定的に第一趾を保持することができない。また、第一趾に対する第一趾保持体の力が、単に第一趾を第二趾から離間させる方向にしか作用しないので、外反母趾を十分に矯正できなかった。
【０００８】
本考案は、このような点に鑑み、安定的に第一趾を保持して外反母趾を十分に矯正することのできる外反母趾矯正用サポータを提供することを目的としている。
【課題を解決するための手段】
【０００９】
前記の課題を解決するために、本考案の外反母趾矯正用サポータは、足前部に装着される伸縮性を有する材料からなる筒状本体と、この筒状本体の前端縁に接続され、伸縮性を有する材料からなり、挿入された足の第一趾を抱持する先細で平面三角形状の第一趾保持体とを有し、前記第一趾保持体には、前記第一趾をねじる力が付与されるように前記筒状本体に接続されていることを特徴としている。
【００１０】
そして、このような構成を採用したことにより、第一趾保持体には、第一趾をねじる力が付与されているので、第一趾を第二趾から離間させる力ならびに第一趾をねじる力により外反母趾を良好に矯正することができる。
【００１１】
また、前記第一趾保持体は、前記第二趾側に面する前記第一趾が浮き上がる方向のねじり力を前記第一趾に付与するように形成されているので、さらに外反母趾を良好に矯正することができる。
【考案の効果】
【００１２】
本考案の外反母趾矯正用サポータによれば、第一趾を第二趾から離間させる力ならびに第一趾をねじる力により外反母趾を良好に矯正することができる。
【図面の簡単な説明】
【００１３】
【図１】本考案に係る外反母趾矯正用サポータの実施形態を示す平面図
【図２】図１の外反母趾矯正用サポータの使用状態を示す斜視図
【考案を実施するための形態】
【００１４】
図１は、本考案に係る外反母趾矯正用サポータの実施形態を示すものであり、この外反母趾矯正用サポータ１は右足用とされている。左足用の図示しない外反母趾矯正用サポータは右足用のものと左右対称とされている。
【００１５】
前記外反母趾矯正用サポータ１は、サポータ特有の伸縮性を有する材料からなる筒状本体２を有しており、この筒状本体２は、右足の前部を挿入すると、全体的に伸長して、右足の土踏まずの前方部位に装着されるようになっている。
【００１６】
前記筒状本体２の先端縁３には、足の親指（第一趾：母趾）を挿入するための先細で平面三角形状の第一趾保持体４が三角形の頂点が前方に突出するようにして装着されている。この第一趾保持部４は、前記筒状本体２と同様、伸縮性を有する材料からなり、筒状本体２に足を挿入し、第一趾が筒状本体２から突出する際に内部に第一趾を挿入して抱持できるようになっている。
【００１７】
このため、この第一趾保持体４は、一枚の帯状の材料を三層の三角形が連続して形成されるように折り返し、かつ、足の第一趾を三角形の底辺側から内部に挿入しうるように前記筒状本体２の先端縁３に縫製などにより装着されている。このとき、第一趾保持体４から足の第一趾には、第一趾の全体を締め付けようとする力とともに、第一趾を第二趾から離間する方向への力と、第一趾自体をねじろうとするねじり力が作用することになる。
【００１８】
なお、第一趾保持体４が三角形状に形成されているのは、第一趾保持体４の先端側から第一趾が突出することがないようにするためと、母趾に所定方向のねじり力を付与するためである。
【００１９】
そして、前記外反母趾矯正用サポータ１の筒状本体２が右足の前部に装着された状態において、母趾は、伸長状態になる第一趾保持体４内に収納され、第一趾保持体４が収縮しようとする方向の力を受けることになる。
【００２０】
つぎに、前述した構成の作用について説明する。
【００２１】
図２に示すように、外反母趾矯正用サポータ１を右足ＬＦに装着すると、この外反母趾矯正用サポータ１の筒状本体２が、右足ＬＦの前部に伸長状態で装着される。このとき、筒状本体２の先端縁３は、第一趾ＢＴを抱持することになる。
【００２２】
すると、伸長状態にある外反母趾矯正用サポータ１の筒状本体２は、右足ＬＦの前部に対し、収縮する方向の矢印Ａ１，Ａ２の力を付与して、右足ＬＦの前部を圧迫することになる。
【００２３】
この状態において、右足ＬＦの第一趾ＢＴは、外反母趾矯正用サポータ１の第一趾保持体４内に収納され、抱持されることになる。すると、右足ＬＦの第一趾ＢＴには、全体的に伸長状態にある第一趾保持体４から、図２に示すように、第一趾ＢＴを隣りの第二趾ＳＴから離間するとともに、第一趾ＢＴ自体を多少ねじるように図２に曲線矢印Ａ３で示すような力を付与することになる。このねじる方向は、矢印Ａ３で示すように、第二趾ＳＴ側に面する第一趾ＢＴが浮き上がる方向とされている。したがって、この第一趾保持体４が収縮しようとする力により右足ＬＦの第一趾ＢＴは、外反母趾を緩和するような方向の力を受けることになり、この外反母趾矯正用サポータ１を装着することにより、徐々に外反母趾の症状が緩和されることになる。
【符号の説明】
【００２４】
１  外反母趾矯正用サポータ
２  筒状本体
３  筒状本体２の先端縁
４  第一趾保持体
ＬＦ  右足
ＢＴ  第一趾（母趾）
ＳＴ  第二趾
【図１】
0003203423.tif 000003
【図２】
0003203423.tif 000004
【手続補正書】
【提出日】平成28年2月3日(2016.2.3)
【手続補正１】
【補正対象書類名】実用新案登録請求の範囲
【補正対象項目名】全文
【補正方法】変更
【補正の内容】
【実用新案登録請求の範囲】
【請求項１】
足前部に装着される伸縮性を有する材料からなる筒状本体と、この筒状本体の前端縁に接続され、伸縮性を有する材料からなり、挿入された足の第一趾を抱持する先細で平面三角形状の第一趾保持体とを有し、前記第一趾保持体には、前記第一趾をねじる力が付与されるように前記筒状本体に接続されていることを特徴とする外反母趾矯正用サポータ。
【請求項２】
前記第一趾保持体は、第二趾側に面する前記第一趾が浮き上がる方向のねじり力を前記第一趾に付与するように形成されている請求項１に記載の外反母趾矯正用サポータ。
【手続補正２】
【補正対象書類名】明細書
【補正対象項目名】００１１
【補正方法】変更
【補正の内容】
【００１１】
また、前記第一趾保持体は、第二趾側に面する前記第一趾が浮き上がる方向のねじり力を前記第一趾に付与するように形成されているので、さらに外反母趾を良好に矯正することができる。